(57)【要約】【課題】ミラーボックス内に付着した異物が撮像部に付着することを、より効果的に防止する技術を提供する。【解決手段】ＤＳＬＲ５００は粘着部材５１を備え、粘着部材５１はＤＳＬＲ５００に対して着脱（交換）可能である。【選択図】図１
2007178691.tif 000002
【特許請求の範囲】
【請求項１】
レンズを交換可能な撮像装置であって、
前記レンズから入射する光線の光路上に配置され、前記光線をファインダに導くための主ミラーと、
前記主ミラーの配置された空間に前記撮像装置に対して着脱可能に配置された粘着部材と、
を備えることを特徴とする撮像装置。
【請求項２】
前記粘着部材は、前記主ミラーの下方に配置されることを特徴とする請求項１に記載の撮像装置。
【請求項３】
前記粘着部材が張架される２つの第１の回転軸と、
前記粘着部材よりも強い粘着力を持ち、前記粘着部材の一部が接するローラー状の第２の粘着部材と、
前記ローラー状の第２の粘着部材の回転中心軸となる第２の回転軸と、
をさらに備えることを特徴とする請求項２に記載の撮像装置。
【請求項４】
前記粘着部材は、前記撮像装置が備えるサブミラーによって反射された前記光線の光路に対応する部分に、開口を備えることを特徴とする請求項２又は３に記載の撮像装置。
【請求項５】
前記粘着部材の、前記撮像装置が備えるサブミラーによって反射された前記光線の光路に対応する部分が、透明であることを特徴とする請求項２又は３に記載の撮像装置。
【請求項６】
前記粘着部材と、前記２つの第１の回転軸と、前記第２の粘着部材と、前記第２の回転軸とは、前記撮像装置に対して着脱可能なユニットとして構成されていることを特徴とする請求項３乃至５のいずれか１項に記載の撮像装置。
【請求項７】
前記粘着部材は、前記主ミラーの上方に配置されることを特徴とする請求項１に記載の撮像装置。
【請求項８】
前記粘着部材を保持して巻き取る２つの回転軸と、
前記粘着部材を挟む１対のローラーであって、一方のローラーの表面が非粘着性であり、他方のローラーの表面が前記粘着部材よりも強い粘着力を持つ１対のローラーと、
をさらに備えることを特徴とする請求項７に記載の撮像装置。
【請求項９】
前記粘着部材は、少なくとも前記主ミラーによって反射された前記光線を通過させるための透明部を備え、
前記粘着部材は、前記撮像装置が撮像待機状態又は電源ＯＦＦ状態にあるときは、前記透明部が前記主ミラーによって反射された前記光線の光路上に位置するように、前記２つの回転軸によって巻き取られていることを特徴とする請求項８に記載の撮像装置。
【請求項１０】
前記粘着部材と、前記２つの回転軸と、前記１対のローラーとは、前記撮像装置に対して着脱可能なユニットとして構成されていることを特徴とする請求項８又は９に記載の撮像装置。
【請求項１１】
撮像装置に対して着脱可能に構成された粘着部材であって、
開口を備える粘着部が枠部材によって保持されていることを特徴とする粘着部材。
【請求項１２】
撮像装置に対して着脱可能に構成された異物除去ユニットであって、
粘着部材と、
前記粘着部材が張架される２つの第１の回転軸と、
前記粘着部材よりも強い粘着力を持ち、前記粘着部材の一部が接するローラー状の第２の粘着部材と、
前記ローラー状の第２の粘着部材の回転中心軸となる第２の回転軸と、
を備えることを特徴とする異物除去ユニット。
【請求項１３】
撮像装置に対して着脱可能に構成された異物除去ユニットであって、
粘着部材と、
前記粘着部材を保持して巻き取る２つの回転軸と、
前記粘着部材を挟む１対のローラーであって、一方のローラーの表面が非粘着性であり、他方のローラーの表面が前記粘着部材よりも強い粘着力を持つ１対のローラーと、
を備えることを特徴とする異物除去ユニット。
【発明の詳細な説明】
【技術分野】
【０００１】
本発明は、撮像装置内に配置されている固体撮像素子、または撮影光路上に配置されている光学素子に異物が付着することを防止する技術に関する。
【背景技術】
【０００２】
現在、代表的な撮像装置として、フィルムカメラとデジタルカメラがよく知られている。これらのうち、フィルムカメラは、被写体像として入射する光をフィルムに露光することにより撮像を行う。一方、デジタルカメラは、光のエネルギーを電気信号に変換する固体撮像素子に、被写体像として入射する光を露光することによって撮像を行う。
【０００３】
図１７は、デジタルカメラの一例である、レンズ交換式デジタル一眼レフカメラ５００（以下、「ＤＳＬＲ５００」と呼ぶ）の構造を示す図である。図１７（ａ）は、撮像待機状態におけるＤＳＬＲ５００を示す。この状態では、使用者は、被写体の構図などを確認するために交換レンズ５０１から入った被写体像をファインダ５０２で確認することができる。図１７（ｂ）は、撮像中のＤＳＬＲ５００を示す。
【０００４】
ＤＳＬＲ５００は、ローパスフィルタ（ＬＰＦ）や固体撮像素子から構成される撮像部５１８（詳細は図１８を参照して後述）を備える。ＤＳＬＲ５００はまた、被写体からの反射光を捉え、撮像部５１８に結像させるための複数のレンズ（５０１ａ、５０１ｂなど）からなる交換レンズ５０１と、交換レンズ５０１を装着するためのマウント部５０３とを備える。
【０００５】
ＤＳＬＲ５００はまた、ミラーボックス５０４を備える。ミラーボックス５０４内部には、使用者が被写体像を確認できるようにするために、入射した光束の一部を反射してファインダ５０２内部に導くための、主ミラー５０５が存在する。主ミラー５０５は、交換レンズ５０１と撮像部５１８を結ぶ光軸上に配置される。
【０００６】
ＤＳＬＲ５００はまた、被写体の測距を行うためのＡＦユニット５１５を備える。ＡＦユニット５１５は、一次結像面近傍に設置されたコンデンサレンズ５１０と、反射ミラー５１１と、赤外カットフィルタ５１２と、眼鏡レンズ５１３と、センサ５１４とを備える。
【０００７】
ＤＳＬＲ５００はまた、入射した光束のうち主ミラー５０５を透過した光束をＡＦユニット５１５に導くサブミラー５０９を備える。ＤＳＬＲ５００はまた、撮像時に主ミラー５０５が跳ね上がる位置を制御するために、ミラーボックス５０４上部にストッパー５１６を備える。
【０００８】
ＤＳＬＲ５００はまた、フォーカルプレーンシャッター５１７を備える。フォーカルプレーンシャッター５１７は、入射した光束を所望する時間だけ撮像部５１８に照射させるために、複数のシャッター羽根１１及び１２を備える。
【０００９】
ファインダ５０２は、主ミラー５０５により上部に反射した光束が結像するフォーカシングスクリーン５０６と、フォーカシングスクリーン５０６に結像した像を正立実像に変換するために内部で像を反射させるプリズム５０７を備える。ファインダ５０２はまた、プリズム５０７から射出された像を適正な倍率で使用者が確認できるようにするための接眼レンズ５０８を備える。
【００１０】
ＤＳＬＲ５００が撮像待機状態にあるときは、図１７（ａ）に示すように、交換レンズ５０１から入射した被写体像を、使用者はファインダ５０２により確認することができる。すなわち、光軸上に設置された主ミラー５０５により、光束は上部に垂直に反射され、フォーカシングスクリーン５０６で結像し、プリズム５０７により像が正立実像に変換された後、接眼レンズ５０８を介して、使用者は被写体像を確認することができる。
【００１１】
ＤＳＬＲ５００による撮像中は、図１７（ｂ）に示すように、交換レンズ５０１から入射した光束を撮像部５１８に入射させるために、ＤＳＬＲ５００は主ミラー５０５とサブミラー５０９をストッパー５１６の位置まで跳ね上げて光軸上から回避させる。その後、ＤＳＬＲ５００がフォーカルプレーンシャッター５１７のシャッター羽根１１及び１２を開くことにより、光束が撮像部５１８に入射する。
【００１２】
次に、図１８を参照して、撮像部５１８の構成を説明する。撮像部５１８は、光学素子２１と、光学素子２１を保持する保持部材２２と、固体撮像素子２３ｂを保護するためのカバー部材２３ａとで構成される固体撮像装置２３を備える。撮像部５１８はまた、固体撮像装置２３のカバー部材２３ａと光学素子２１との間を密封するためのシール部材２４とを備える。
【００１３】
ここで、固体撮像素子２３ｂは有限間隔で画素が配列されているために、その間隔以上に空間周波数の高い光は単一の画素にしか入らない。これにより、本来とは異なる色として認識される偽色や色モアレが生じる。また、固体撮像部２３ｂ表面で入射した光が反射することにより、赤外光のゴーストやかぶりといった現象が発生する。これらを防止するため、固体撮像装置２３の前面には、ＬＰＦ（ローパスフィルタ）や赤外カットフィルタなどが積層された光学素子２１が配置されている。固体撮像装置２３と光学素子２１はシール部材２４で接着、密閉されている。
【００１４】
ところで、ＤＳＬＲ５００は、フィルムカメラとは異なり、被写体像として入射する光を基本的に交換されることがない固体撮像素子２３ｂ上に結像させる。そのため、撮像部５１８の最表面にある光学素子２１に異物が付着すると、その付着した異物が存在する箇所を通過する光は固体撮像素子２３ｂに到達しないために、撮像した画像に異物が影として写りこみ続けるという問題が発生する。ＤＳＬＲ５００内に異物が発生して残留する原因として以下のことが考えられる。
【００１５】
１．ＤＳＬＲ５００のように撮像装置がフォーカルプレーンシャッター５１７を有する場合、フォーカルプレーンシャッター５１７のシャッター羽根１１及び１２がシャッター動作時に擦れることにより、シャッター羽根１１や１２の塗装が剥がれることがある。剥がれた塗装は、異物としてＤＳＬＲ５００の内部に残留してしまうことがある。
【００１６】
２．ＤＳＬＲ５００のようにレンズ交換式の撮像装置は、交換レンズ５０１の非装着時にカメラのマウント５０３を保護する不図示のマウントキャップを備えるのが一般的である。マウントキャップの装着時におけるマウントキャップとマウント５０３のこすれにより、マウントキャップが削れ、マウントキャップの削れ片が異物としてＤＳＬＲ５００内部に残留してしまうことがある。
【００１７】
３．交換レンズ５０１の交換時には、外部からＤＳＬＲ５００の内部へ異物が侵入することがある。
【００１８】
上記２と３の理由でミラーボックス５０４内に侵入した異物は、通常、ミラーボックス５０４内に付着し、直接撮像部５１８に付着することはほとんどない。なぜなら、撮影中以外では、撮像部５１８の前面にはフォーカルプレーンシャッター５１７があり、撮像部５１８に光が入射しないように、シャッター羽根１１が撮像部５１８を完全に覆っているからである。しかし、ミラーボックス５０４に付着した異物が、なんらかの原因で飛散して撮像部５１８に付着する場合もある。
【００１９】
撮像部に向かう異物を捕獲する方法として、フォーカルプレーンシャッター内に粘着部を設ける技術が知られている（特許文献１参照）。特許文献１の方法によれば、フォーカルプレーンシャッター内のシャッター羽根が接触しない箇所に粘着部を設け、フォーカルプレーンシャッターから発生した異物を捕獲する。また、フォーカルプレーンシャッターと撮像部の間に粘着部材を設ける方法も知られている（特許文献２参照）。特許文献２の方法によれば、フォーカルプレーンシャッターと撮像部の間に壁を配置し、その壁の部分を粘着部材にすることで、侵入してきた異物を捕獲する。
【特許文献１】特開２００２−３５０９２６号公報
【特許文献２】特開２００４−０８５９４２号公報
【発明の開示】
【発明が解決しようとする課題】
【００２０】
しかしながら、特許文献１の方法では、撮像部に向かう異物のうち、粘着部に衝突するもののみが捕獲可能であり、ミラーボックス内に付着していて、空気の流れに乗るなどしてフォーカルプレーンシャッターの開口に飛んでくる異物に対しては効果がない。また、粘着部は固定されているため、異物が多く付着したり、時間が経過したりすると、粘着部の粘着力が低下し、異物の捕獲能力が低下するという問題もあった。
【００２１】
また、特許文献２の方法でも、特許文献１の場合と同様に、ミラーボックス内に付着していて、空気の流れに乗るなどしてフォーカルプレーンシャッターの開口に飛んでくる異物に対しては効果がないという問題があった。さらに、粘着部は固定されているため、異物が多く付着したり、時間が経過したりすると、粘着部の粘着力が低下し、異物の捕獲能力が低下するという問題もあった。
【００２２】
本発明はこのような状況に鑑みてなされたものであり、ミラーボックス内に付着した異物が撮像部に付着することを、より効果的に防止する技術を提供することを目的とする。
【課題を解決するための手段】
【００２３】
上記課題を解決するために、本発明の撮像装置は、レンズを交換可能な撮像装置であって、前記レンズから入射する光線の光路上に配置され、前記光線をファインダに導くための主ミラーと、前記主ミラーの配置された空間に前記撮像装置に対して着脱可能に配置された粘着部材と、を備えることを特徴とする。
【００２４】
なお、その他の本発明の特徴は、添付図面及び以下の発明を実施するための最良の形態における記載によってさらに明らかになるものである。
【発明の効果】
【００２５】
以上の構成により、本発明によれば、ミラーボックス内に付着した異物が撮像部に付着することを、より効果的に防止することが可能となる。
【発明を実施するための最良の形態】
【００２６】
以下、添付図面を参照して、本発明の実施形態を説明する。以下で説明される個別の実施形態は、本発明の上位概念、中位概念及び下位概念など種々の概念を理解するために役立つであろう。また、本発明の技術的範囲は、特許請求の範囲によって確定されるのであって、以下の個別の実施形態によって限定されるわけではない。
【００２７】
なお、以下の各実施形態に係るＤＳＬＲ（レンズ交換式デジタル一眼レフカメラ）は、特に断らない限り、上述したＤＳＬＲ５００と同様の構成であるものとする。
【００２８】
［第１の実施形態］
本発明の第１の実施形態に係るＤＳＬＲ５００について、図１〜図６を参照して説明する。
【００２９】
図１は、第１の実施形態に係るミラーボックス５０４の概略断面図である。図２は、第１の実施形態に係るミラーボックス５０４の概略正面図である。主ミラー５０５及びサブミラー５０９の構成は従来と同様であるため説明を省略する。
【００３０】
図１及び図２において、５１は、粘着部材を示している。５２は、粘着部材５１をミラーボックス５０４の下側に設置し、上下方向を固定するためのガイドを示し、５７は、粘着部材５１を光軸方向及び左右方向に固定するためのつめを示す。また、５９は、ミラーボックス５０４とガイド５２を連結して、ガイド５２を下方向に付勢するばねである。粘着部材５１はガイド５２に沿ってミラーボックス５０４の下側に設置されるようになっており、図１（ｂ）に示すように、使用者が粘着部材５１を着脱することが可能である。
【００３１】
図３は、粘着部材５１の構成を示す図であり、図１における上面方向から見た図である。５３は粘着部、５４は開口、５５は粘着部材の枠部材を示している。開口５４は、粘着部材５１がミラーボックス５０４に設置されたとき、サブミラー５０９で反射した光束を通過するように配置されており、ＡＦユニット５１５による測距を妨害しないようにしている。
【００３２】
図４は、被写体からＡＦユニット５１５の一次結像面までの光路を示す図である。Ａは粘着部材５１の面、ＢはＡＦユニット５１５の一次結像面、５６は交換レンズ５０１を含めた光学系全体、Ｕは被写体、Ｐ１及びＰ２は被写体Ｕ上の点であり、実線Ｌ１及びＬ２はＰ１及びＰ２から放出される光束である。図４に示すように、一次結像面の有効範囲ＹからＡＦユニット５１５の測距を妨害しない開口５４の最小範囲Ｘが求められる。もちろん、光学系によっては開口５４の最小範囲Ｘが一次結像面の有効範囲Ｙよりも大きい場合もあるため、光路に応じて開口５４の範囲を設定する必要がある。
【００３３】
なお、開口５４は、穴に限らず透明な粘着材料であってもよいし、開口５４の形は円形に限られるものでもない。また、粘着部材５１に低反射率で高透過率の材料（例えば、テクノアルファ社製Ａｒｃｌｅａｒ８９３２）を用いれば、開口５４を設けなくて済み、かつ、粘着部材５１の面で光が反射することを防止する事ができる。
【００３４】
以上説明したような構成により、ミラーボックス５０４内に侵入してくる異物は、重力により下方に向かい、粘着部材５１によって捕獲される。また、主ミラー５０５やサブミラー５０９に付着している異物は、撮像時に主ミラー５０５やサブミラー５０９が回転駆動することにより生じる空気の流れに乗ってミラーボックス５０４内を浮遊する。この浮遊する異物も、重力により下方に向かい、粘着部材５１によって捕獲される。
【００３５】
異物が多く付着したり、時間が経過したりすることにより、粘着部材５１の粘着力が低下した場合は、使用者は粘着部材５１を交換して、粘着部材５１の異物捕獲能力を維持することができる。
【００３６】
図５は、粘着部材５１をミラーボックス５０４の下部に固定する機構の主要部概略図である。図６は、粘着部材５１をミラーボックス５０４の下部に固定する機構の略中央断面図である。
【００３７】
図５において、５８は、つめ５７の回転軸を示している。また、矢印Ｘの方向にマウント面（交換レンズ５０１）がある。図６（ａ）において、ｏは回転軸、ｊはガイド５２とつめ５７が接する図中最も右の点、ｋはミラーボックス５０４の横壁とつめ５７の接点、ｌはつめ５７とミラーボックス５０４下部が接する図中最も右の点を示す。また、ｍはつめ５７とミラーボックス５０４下部が接する図中最も左の点、ｎはつめ５７と枠部材５５が接する図中最も下の点を示している。このとき、ｌｏｊは同一直線上にあり、ｊｋｌは回転軸ｏを中心とした同一円周上にある。また、ｍｎは回転軸ｏを中心とした同一円周上にある。また、線分ｏｊは線分ｏｎよりも短い。
【００３８】
粘着部材５１がＤＳＬＲ５００に設置されている状態において、粘着部材５１は図５（ａ）、図６（ａ）に示すように光軸方向と左右方向はつめ５７によって、上下方向はばね５９により下向きに力が働いているガイド５２によって固定されている。
【００３９】
粘着部材５１の取り外し作業時には、図５（ｂ）、図６（ｂ）に示すように、使用者は、回転軸５８を中心としてつめ５７を時計回りに回転させて、ガイド５２をつめ５７により上方へ押し上げることにより、粘着部材５１を着脱可能な状態にする。そして、粘着部材５１の取り付け作業時には、図５（ｂ）、図６（ｂ）に示すような状態から、使用者は、回転軸５８を中心としてつめ５７を反時計回りに回転させる。これにより、粘着部材５１がつめ５７により光軸方向及び左右方向を固定され、ばね５９により下向きに力が働いているガイド５２により上下方向に固定される。
【００４０】
なお、図５及び図６では、図２に示す２つのつめ５７のうち右側のみを説明したが、左側についても、左右を対称にすれば上述の説明が同様に当てはまる。
【００４１】
以上説明したように、本実施形態によれば、ＤＳＬＲ５００は粘着部材５１を備え、粘着部材５１はＤＳＬＲ５００に対して着脱（交換）可能である。
【００４２】
これにより、粘着部材５１がミラーボックス５０４内に付着した異物を捕獲し、異物が撮像部５１８に付着することを抑制することが可能となる。また、粘着部材５１はＤＳＬＲ５００に対して着脱（交換）可能であるため、粘着部材５１の異物捕獲能力を維持することが可能となる。
【００４３】
［第２の実施形態］
本発明の第２の実施形態に係るＤＳＬＲ５００について、図７乃至図１０を参照して説明する。本実施形態は、第１の実施形態の変形例であり、第１の実施形態と同様の効果を得ることを目的とする。
【００４４】
図７は、第２の実施形態に係るミラーボックス５０４の側断面図である。図８は、第２の実施形態に係るミラーボックス５０４の正面図である。ミラーボックス５０４、主ミラー５０５、サブミラー５０９、ＡＦユニット５１５の構成は従来と同様であるため説明を省略する。
【００４５】
図７において、６１は粘着部材、６２は粘着部材６１を回転させるための軸、６３は粘着部材６１よりも強い粘着力を持つ強粘着部材、６４は強粘着部材６３を回転させるための軸、６５は粘着部材６１が弛まないように回転軸６２を引っ張るばねである。また、６０は粘着部材６１、回転軸６２、強粘着部材６３、回転軸６４、ばね６５を一体化した異物除去ユニット全体を表す。異物除去ユニット６０は、ＤＳＬＲ５００に対して着脱可能な着脱可能ユニットである。図８において、６６は回転軸６２と回転軸６４を駆動させるためのモーターを示している。図８の着脱機構は、第１の実施の形態で説明した機構と同等のものである。すなわち、ガイド５２、つめ５７および付勢ばね５９を設けることにより異物除去ユニット６０の着脱を可能としている。
【００４６】
図９は、第２の実施形態に係るＤＳＬＲ５００の電気的構成を示すブロック図である。
【００４７】
この電気回路は、不図示のアルカリ電池、リチウム電池などの一次電池、またニッケル水素電池、リチウムイオン電池などの二次電池や、小型燃料電池などから電力供給を受けて駆動される。
【００４８】
カメラシステム制御部１３５は、モーター６６など、ＤＳＬＲ５００を構成する各要素を制御する。
【００４９】
次に、図７及び図８を参照して説明した、ＤＳＬＲ５００において異物を捕獲する構成について説明する。
【００５０】
モーター６６は、カメラシステム制御回路１３５からの情報を受信し、回転軸６２と回転軸６４を回転させる。回転軸６２及び回転軸６４が回転することにより、粘着部材６１及び強粘着部材６３を回転させることが出来る。なお、モーター６６は回転軸６２のみを回転させて、粘着部材６１の回転により回転軸６４を従動回転させてもよい。
【００５１】
第１の実施形態で説明したように、ミラーボックス５０４内に侵入してきた異物は粘着部材６１によって捕獲される。また、主ミラー５０５やサブミラー５０９の回転によって生ずる空気の流れに乗ってミラーボックス５０４内を浮遊する異物も粘着部材６１によって捕獲される。
【００５２】
粘着部材６１に多くの異物が付着することなどにより、粘着部材６１の粘着力が低下したと使用者が判断した時は、モーター６６により、回転軸６２を軸として粘着部材６１を図７における反時計回りに回転させる。また、粘着部材６１の回転と同時に、強粘着部材６３も、モーター６６により回転軸６４を軸として図７における時計回りに回転する。強粘着部材６３の粘着力は粘着部材６１よりも強いため、粘着部材６１に捕獲された異物は強粘着部材６３に付着して粘着部材６１から除去される。反対に、強粘着部材６３は粘着部材６１よりも粘着力が強いため、一度粘着部材６１から強粘着部材６３に付着した異物が粘着部材６１に戻る可能性は低い。
【００５３】
また、時間の経過などにより粘着部材６１の粘着力が低下したり、強粘着部材６３に多くの異物が付着することにより強粘着部材６３の粘着力が低下したりした場合は、使用者は異物除去ユニット６０を交換する。これにより、粘着部材６１の異物捕獲能力を維持することが可能である。
【００５４】
図１０（ａ）及び（ｂ）は粘着部材６１の２つの例の展開図を示している。６７は粘着部、６８はギャップ、７０は開口であり、矢印Ｘの方向にマウント面（交換レンズ５０１）がある。また、６９は粘着部材６１がミラーボックス５０４内に曝される面のサイズである。ギャップ６８及び開口７０は、ＡＦユニット５１５に入射する光線を妨害しないように配置されている。
【００５５】
回転軸６２の回転角をモーター６６の駆動時間にて制御した場合、回転角を厳密に制御できないため、図１０（ａ）に示すように、サブミラー５０９から射出される光束がＡＦユニット５１０に入射する幅分だけ光軸に平行にギャップ６８が設けられている。一方、不図示のセンサを設置して、粘着部材６１を位置制御して移動する場合は、図１０（ｂ）に示すように、粘着部材６１が停止した時にサブミラー５０９から射出される光束がＡＦユニット５１５に入射できる分だけ開口７０が形成されていればよい。開口７０の大きさについては第１の実施形態において説明済みのため省略する（図４参照）。また、開口７０は四角形であるとは限らない。
【００５６】
センサを用いて粘着部材６１を位置制御する場合は粘着部６７の面積が大きいため、異物の捕獲能力が高くなるが、コストが高くなる。また、粘着部材６１を第１の実施形態で説明したように、低反射率で高透過率のものにすれば回転軸６２の回転角を駆動時間で制御するような場合であっても、粘着部材６１全面を粘着部６７にできる。そのため、ギャップ６８は不要となり、一体化した粘着部材６１を構成することが出来る。
【００５７】
以上説明したように、本実施形態によれば、ＤＳＬＲ５００は粘着部材６１及び強粘着部材６３を含む異物除去ユニット６０を備え、異物除去ユニット６０はＤＳＬＲ５００に対して着脱（交換）可能である。
【００５８】
これにより、粘着部材６１がミラーボックス５０４内に付着した異物を捕獲し、異物が撮像部５１８に付着することを抑制することが可能となる。また、粘着部材６１に付着した異物は強粘着部材６３に付着して粘着部材６１から除去され、さらに、異物除去ユニット６０はＤＳＬＲ５００に対して着脱（交換）可能であるため、粘着部材６１の異物捕獲能力を維持することが可能となる。
【００５９】
［第３の実施形態］
本発明の第３の実施形態に係るＤＳＬＲ５００について、図１１〜図１６を参照して説明する。
【００６０】
第１及び第２の実施形態では、ミラーボックス５０４内に侵入してきた異物が重力に従ってミラーボックス５０４の下方に向かうことを前提としていた。しかし、主ミラー５０５上に付着している異物は、撮像に伴う主ミラー５０５のアップ動作が完了したとき、慣性力により、主ミラー５０５から離れてミラーボックス５０４上方に飛び跳ねる。そのため、主ミラー５０５上に付着した異物を効果的に捕獲するためには、ミラーボックス５０４の上部に粘着部を設けることが有効である。
【００６１】
なお、第３の実施形態は、第１又は第２の実施形態と組み合わせてもよい。すなわち、ミラーボックス５０４の上部及び下部の両方に粘着部を設けてもよい。
【００６２】
図１１は、第３の実施形態に係るミラーボックス５０４の断面図である。図１２は、第３の実施形態に係るミラーボックス５０４の正面図である。ミラーボックス５０４、主ミラー５０５、サブミラー５０９は従来と同様であるため説明を省略する。
【００６３】
図１１において、７１は粘着部材、７２は粘着部材７１を回転させるための軸、７３は粘着部材７１が弛まないようにするために回転軸７２を引っ張るばね、７４は粘着部材７１に付着した異物を除去する異物除去装置（詳細は図１３を参照して後述）である。また、７９は粘着部材７１、回転軸７２、ばね７３、異物除去装置７４を一体化した異物除去ユニット全体を表す。異物除去ユニット７９は、ＤＳＬＲ５００に対して着脱可能な着脱可能ユニットである。図１２において、７５は回転軸７２を回転させるモーターを示している。図１２の着脱機構は、第１の実施の形態で説明した機構と同等のものである。すなわち、ガイド５２、つめ５７および付勢ばね５９を設けることにより異物除去ユニット７９の着脱を可能としている。
【００６４】
主ミラー５０５上に付着している異物は、主ミラー５０５のアップ回転が完了したとき、慣性力により、主ミラー５０５から離れてミラーボックス５０４上方に飛び跳ねる。そのため、ミラーボックス５０４上方に跳ね上がった異物は粘着部材７１によって捕獲される。
【００６５】
図１３は、異物除去装置７４の構成を示す図である。７４ａは粘着部材７１よりも強い粘着力を持つ強粘着ローラー、７４ｂは強粘着ローラー７４ａの回転中心軸である。また、７４ｃは非粘着ローラー、７４ｄは非粘着ローラーの回転中心軸、７４ｅは強粘着ローラー７４ａと非粘着ローラー７４ｂを互いに接近する方向に付勢するばねである。ばね７４ｅにより、粘着部材７１は、強粘着ローラー７４ａと非粘着ローラー７４ｂにより挟み込まれる。
【００６６】
強粘着ローラー７４ａ、非粘着ローラー７４ｃはそれぞれの回転中心軸７４ｂ、７４ｄを中心に回転可能となっている。回転中心軸７４ｂはミラーボックス５０４又は異物除去ユニット７９の側壁に固定されている。以下に、粘着部材７１に付着した異物を異物除去装置７４が除去する原理を説明する。
【００６７】
粘着部材７１が移動すると強粘着ローラー７４ａと非粘着ローラー７４ｃは回転する。このとき、強粘着ローラー７４ａと非粘着ローラー７４ｃはばね７４ｅによって粘着部材７１に対して圧力がかかった状態である。そのため、粘着部材７１に付着している異物は強粘着ローラー７４ａと接触した時に、強粘着ローラー７４ａに付着して粘着部材７１から除去される。強粘着ローラー７４ａの粘着力は粘着部材７１の粘着力より大きいため、一度強粘着ローラー７４ａに付着した異物が粘着部材７１に戻る可能性は低い。
【００６８】
図１４は粘着部材７１の展開図を示している。７６は粘着部、７７は透明部、７８はミラーボックス５０４の上面のサイズを示している。
【００６９】
図１５は、第３の実施形態に係るＤＳＬＲ５００の電気的構成を示すブロック図である。ＤＳＬＲ５００の電気的構成については、概ね第２の実施形態と同様であるため、第２の実施形態と異なる点についてのみ説明する。
【００７０】
モーター７５はカメラシステム制御回路１３５からの情報を受信し、回転軸７２を回転させる。回転軸７２が回転することにより、粘着部材７１を移動させることが出来る。
【００７１】
ＤＳＬＲ５００が撮像待機状態にあるときは、使用者は、被写体の構図などを確認するために交換レンズ５０１から入って主ミラー５０５にて反射された被写体像をファインダ５０２で確認する。そのため、このときは主ミラー５０５で反射された光束がファインダ５０２に入射するようにミラーボックス５０４の上面には透明部７７が位置しなければならない。また、ＤＳＬＲ５００の電源がＯＦＦの場合もミラーボックス５０４の上面を透明部７７としてもよい。一方、ミラーアップ動作中は、主ミラー５０５から離れる異物を捕獲するために、粘着部７６がミラーボックス５０４上部に位置する必要がある。
【００７２】
以下、図１６を参照して、第３の実施形態において、ＤＳＬＲ５００が粘着部材７１を移動させる処理の流れを説明する。
【００７３】
ステップＳ１０１で、カメラシステム制御回路１３５は、ＤＳＬＲ５００の電源がＯＮ状態であるか否かを判定する。ＤＳＬＲ５００の電源がＯＮであると、ステップＳ１０２に進む。厳密には、ＤＳＬＲ５００の電源がＯＦＦの場合は、電力が供給されないために、カメラシステム制御回路１３５は何も処理を行うことができず、結果としてステップＳ１０２に進めない。
【００７４】
ステップＳ１０２で、カメラシステム制御回路１３５は、交換レンズ５０１が装着されているか否かをマウント接点１０１ａ、１０２ａを介して判定する。交換レンズ５０１が装着されていると判定されると、ステップＳ１０３に進む。
【００７５】
ステップＳ１０３で、カメラシステム制御回路１３５は、レリーズボタンが押されたか否かを判定する。レリーズボタンが押されると、ステップＳ１０４に進む。
【００７６】
ステップＳ１０４で、カメラシステム制御回路１３５は、モーター７５を駆動することにより、ばね７３により粘着部材７１が弛まないようにしながら回転軸７２を回転させる。このときの回転方向は、粘着部材７１の透明部７７が回転軸７２によって巻き取られ、粘着部７６がミラーボックス５０４上部に展開される方向である。粘着部７６がミラーボックス５０４上部に展開されると、ステップＳ１０５に進む。
【００７７】
ステップＳ１０５で、カメラシステム制御回路１３５は、主ミラー５０５とサブミラー５０９をアップ動作させる。アップ動作が完了すると、ステップＳ１０６に進む。
【００７８】
ステップＳ１０６で、シャッター制御回路１４５はカメラシステム制御回路１３５からシャッター速度に関する情報を受信し、フォーカルプレーンシャッター５１７の第１の羽根群１１、第２の羽根群１２の駆動源（不図示）を制御する。これにより、シャッター制御回路１４５は、予め定められたシャッター速度になるように第１の羽根群１１及び第２の羽根群１２を動作させる。シャッター動作が完了すると、ステップＳ１０７に進む。
【００７９】
ステップＳ１０７で、カメラシステム制御回路１３５は、主ミラー５０５とサブミラー５０９をダウン動作させる。ダウン動作が完了すると、ステップＳ１０８に進む。
【００８０】
ステップＳ１０８で、カメラシステム制御回路１３５は、モーター７５を駆動することにより、回転軸７２を回転させる。このときの回転方向は、粘着部材７１の粘着部７６が回転軸７２によって巻き取られ、透明部７７がミラーボックス５０４上部に展開される方向である。透明部７７がミラーボックス５０４上部に展開されると、ステップＳ１０９に進む。
【００８１】
ステップＳ１０９で、カメラシステム制御回路１３５は、レリーズボタンが押されたか否かを判定する。レリーズボタンが押されると、ステップＳ１０４に戻って同様の処理を繰り返す。レリーズボタンが押されなければ、ステップＳ１１０に進む。
【００８２】
ステップＳ１１０で、カメラシステム制御回路１３５は、操作検出回路１３６を介してＤＳＬＲ５００の電源をＯＦＦにする指示を受信したか否かを判定する。受信した場合は処理を終了する。受信しない場合はステップＳ１０９に戻る。
【００８３】
以上のように、粘着部材７１は、撮像時に巻取りと展開が繰り返されるため、粘着部材７１の粘着面裏側（ミラーボックス５０４の上側）は剥離性が高いことが好ましい。なお、前述のように、粘着部材７１に捕獲された異物はばね７４ｅにより常に粘着部材７１と接触している強粘着ローラー７４ａに付着される。強粘着ローラー７４ａは粘着部材７１よりも粘着力が強いため、一度強粘着ローラー７４ａに付着された異物が粘着部材７１に戻る可能性は低い。なお、異物除去装置７４を交換可能に構成して、強粘着ローラー７４ａの粘着力が粘着部材７１よりも低下した際には交換できるようにしてもよい。もちろん、前述のように、異物除去ユニット７９全体を交換してもよい。
【００８４】
以上説明したように、本実施形態によれば、ＤＳＬＲ５００は粘着部材７１及び異物除去装置７４を含む異物除去ユニット７９を備え、異物除去ユニット７９はＤＳＬＲ５００に対して着脱（交換）可能である。また、異物除去ユニット７９は、ミラーボックス５０４の上部に設けられている。
【００８５】
これにより、主ミラー５０５上に付着しており、撮像に伴う主ミラー５０５のアップ動作が完了したとき、慣性力により、主ミラー５０５から離れてミラーボックス５０４上方に飛び跳ねる異物を、効果的に捕獲することが可能となる。また、粘着部材７１に付着した異物は強粘着ローラー７４ａに付着して粘着部材７１から除去され、さらに、異物除去ユニット７９はＤＳＬＲ５００に対して着脱（交換）可能であるため、粘着部材７１の異物捕獲能力を維持することが可能となる。
【図面の簡単な説明】
【００８６】
【図１】第１の実施形態に係るミラーボックス５０４の概略断面図である。
【図２】第１の実施形態に係るミラーボックス５０４の概略正面図である。
【図３】粘着部材５１の構成を示す図である。
【図４】被写体からＡＦユニット５１５の一次結像面までの光路図を示す図である。
【図５】粘着部材５１をミラーボックス５０４の下部に固定する機構の主要部概略図である。
【図６】粘着部材５１をミラーボックス５０４の下部に固定する機構の略中央断面図である。
【図７】第２の実施形態に係るミラーボックス５０４の断面図である。
【図８】第２の実施形態に係るミラーボックス５０４の正面図である。
【図９】第２の実施形態に係るＤＳＬＲ５００の電気的構成を示すブロック図である。
【図１０】粘着部材６１の展開図である。
【図１１】第３の実施形態に係るミラーボックス５０４の断面図である。
【図１２】第３の実施形態に係るミラーボックス５０４の正面図である。
【図１３】異物除去装置７４の構成を示す図である。
【図１４】粘着部材７１の展開図である。
【図１５】第３の実施形態に係るＤＳＬＲ５００の電気的構成を示すブロック図である。
【図１６】第３の実施形態において、ＤＳＬＲ５００が粘着部材７１を移動させる処理の流れを示すフローチャートである。
【図１７】デジタルカメラの一例である、ＤＳＬＲ５００の構造を示す図である。
【図１８】撮像部５１８の構成を示す図である。
【符号の説明】
【００８７】
１１，１２              羽根群
２１                    光学素子
５１，６１，７１        粘着部材
５２                    ガイド
５３，６７，７６        粘着部
５８，６２，６４，７２  回転軸
６０，７９              異物除去ユニット
５００                  ＤＳＬＲ
５０４                  ミラーボックス
５１８                  撮像部
【図１】
2007178691.tif 000003
【図２】
2007178691.tif 000004
【図３】
2007178691.tif 000005
【図４】
2007178691.tif 000006
【図５】
2007178691.tif 000007
【図６】
2007178691.tif 000008
【図７】
2007178691.tif 000009
【図８】
2007178691.tif 000010
【図９】
2007178691.tif 000011
【図１０】
2007178691.tif 000012
【図１１】
2007178691.tif 000013
【図１２】
2007178691.tif 000014
【図１３】
2007178691.tif 000015
【図１４】
2007178691.tif 000016
【図１５】
2007178691.tif 000017
【図１６】
2007178691.tif 000018
【図１７】
2007178691.tif 000019
【図１８】
2007178691.tif 000020